(57)【要約】      （修正有）【課題】札入れ又は名刺入れの中から紙幣又は名刺を１枚又は１枚ずつ必要な枚数だけ容易に取り出す。【解決手段】滑り止め器具３は、複数の紙幣又は名刺を下端側で挟持可能に二つ折りのシート６０からなり、シート６０の一方の縁部に撓み変形自在なアーム６３を備え、当該アーム６３の内側面に係止手段６４を具備する。この滑り止め器具はシート６０の二つ折りの２面間に紙幣又は名刺を挟んで、札入れ又は名刺入れの内部に装填され、アーム６３と係止手段６４の操作によって、紙幣又は名刺が引き出されるようになっている。【選択図】図１
0003133050.tif 000002
【実用新案登録請求の範囲】
【請求項１】
複数の紙幣又は名刺を下端側で挟持可能に二つ折りのシートからなり、
少なくとも前記シートの一方の縁部に紙幣又は名刺の上端方向に延び、撓み変形自在なアームと、
当該アームの内側面に形成されて、紙幣又は名刺の平面に対して摩擦係合可能な係止手段とを備え、
前記シートの二つ折りの２面間に紙幣又は名刺を挟んで、札入れ又は名刺入れの内部に装填され、
ユーザーの指先で、前記係止手段を前記アームを前記一方の縁部に近接する方向に撓み変形させながら移動して、紙幣又は名刺に押し当てる動作と、前記係止手段を前記アームを元の状態に戻しながら前記一方の縁部から離間する方向に移動させる動作とにより、札入れ又は名刺入れから紙幣又は名刺を引き出すことを特徴とする札入れ用及び名刺入れ用滑り止め器具。
【請求項２】
アームは少なくとも一方の縁部から平面形状の略Ｍ字形に延び、その略中央に係止手段が設けられる請求項１に記載の札入れ用及び名刺入れ用滑り止め器具。
【考案の詳細な説明】
【技術分野】
【０００１】
本考案は、札入れ及び名刺入れに使用して、紙幣又は名刺の取り出しを容易にする札入れ用及び名刺入れ用滑り止め器具に関する。
【背景技術】
【０００２】
一般に、札入れは紙幣よりも大きい横長の外側面の素材と内側面の素材を縫い合わせて袋状に形成され、上部の開口から紙幣を出し入れするようになっている。この札入れには、外側面の素材を内側面の素材に対して上下方向の長さを大きくし、外側面の素材を上下方向中間部で２つ折りにして、内側面の素材に重ね合わせる形式と、外側面の素材と内側面の素材を概ね同じ大きさにして、左右方向中間部で２つ折りにして折り畳む形式がある。前者の形式は、外側面の素材の上半分を蓋状にしたもので、札入れの中に紙幣を折り曲げることなくその形状のまま収納するようになっている。これに対して後者の形式は、札入れの中に紙幣を入れて、札入れを紙幣とともに２つに折り畳むようになっている。また、一般に、名刺入れは、基本的に札入れに似た構造を有し、名刺よりも大きい横長の外側面の素材と内側面の素材を縫い合わせて袋状に形成され、上部の開口から名刺を出し入れするようになっている。名刺入れの場合、外側面の素材を内側面の素材に対して上下方向の長さを大きくし、外側面の素材を上下方向中間部で２つ折りにして、内側面の素材に重ね合わせる形式のものが多い。なお、この種の札入れや名刺入れについては特許文献１に記載されている。
【０００３】
【特許文献１】実用新案登録第３１２２４１７号公報
【考案の開示】
【考案が解決しようとする課題】
【０００４】
ところで、札入れには、複数の紙幣が重ねて収納されるため、札入れの中で、紙幣同士が密着していることがあり、このような場合、必要以上の枚数の紙幣を出さないように、（めくりにくい状態になっている）紙幣を１枚、又は１枚ずつめくりながら取り出すため、紙幣の取り出しを容易かつ迅速に行うことができない。特に手、指が乾燥しているようなときは、指先が紙幣の上で滑りやすく、さらに手際が悪くなる。また、このような場合、紙幣の取り出しを容易にしようとするために、指先を舌で舐めて、紙幣を取り出すことがあるが、見た目が悪く、紙幣を受け取る相手方に不快感を与えることも少なくない。さらに、近時はノロウィルスなどの感染性の病気が発生しており、衛生上も、好ましくない。また、名刺入れから名刺を取り出す場合にも、同様のことがある。
【０００５】
本考案は、このような課題を解決するもので、札入れ又は名刺入れの中に複数の紙幣又は名刺が重ねて収納され、紙幣同士又は名刺同士が密着されていても、紙幣又は名刺を１枚又は１枚ずつ必要な枚数だけ容易に取り出すことのできる優れた札入れ用及び名刺入れ用滑り止め器具を提供すること、を目的とする。
【課題を解決するための手段】
【０００６】
上記目的を達成するために、本考案による札入れ用及び名刺入れ用滑り止め器具は、複数の紙幣又は名刺を下端側で挟持可能に二つ折りのシートからなり、少なくとも前記シートの一方の縁部に紙幣又は名刺の上端方向に延び、撓み変形自在なアームと、当該アームの内側面に形成されて、紙幣又は名刺の平面に対して摩擦係合可能な係止手段とを備え、前記シートの二つ折りの２面間に紙幣又は名刺を挟んで、札入れ又は名刺入れの内部に装填され、ユーザーの指先で、前記係止手段を前記アームを前記一方の縁部に近接する方向に撓み変形させながら移動して、紙幣又は名刺に押し当てる動作と、前記係止手段を前記アームを元の状態に戻しながら前記一方の縁部から離間する方向に移動させる動作とにより、札入れ又は名刺入れから紙幣又は名刺を引き出すことを要旨とする。この場合、アームは少なくとも一方の縁部から平面形状の略Ｍ字形に延び、その略中央に係止手段が設けられることが好ましい。
【考案の効果】
【０００７】
本考案の札入れ用及び名刺入れ用滑り止め器具は、上記の構成を有し、シートの２面間に紙幣又は名刺を挟んで、札入れ又は名刺入れの内部に装填し、ユーザーの指先で、係止手段をアームを一方の面に近接する方向に撓み変形させながら移動して、紙幣又は名刺に押し当てる動作と、係止手段をアームを元の状態に戻しながら一方の面から離間する方向に移動させる動作の簡易な操作により、札入れ又は名刺入れから紙幣又は名刺を引き出すようにしたので、札入れ又は名刺入れの中に複数の紙幣又は名刺が重ねて収納され、紙幣同士又は名刺同士が密着されていても、この滑り止め器具の簡単な操作で、札入れ又は名刺入れから紙幣又は名刺を１枚又は１枚ずつ必要な枚数だけ容易に取り出すことができる。
【考案を実施するための最良の形態】
【０００８】
以下、本考案の一実施の形態について図１を用いて説明する。図１において、３は札入れ用及び名刺入れ用の滑り止め器具で、二つ折りのシート６０からなり、少なくとも二つ折り２面６１、６２の一方にアーム６３及び係止手段６４を備える。
【０００９】
シート６０とアーム６３はＰＥТ（ポリエチレンテレフタレート）その他の合成樹脂材により一体成形され、シート６０は複数の紙幣又は名刺をまとめて（札入れ又は名刺入れへの収納方向から見て）下端側で挟持可能に所定の大きさ及び形状を有する初期形状に形成され、その両端方向中間部で二つ折りに加工されて２面６１、６２により構成され、アーム６３はシート６０の縁部から（札入れ又は名刺入れへの収納方向から見て）紙幣又は名刺の上端方向に向けて延びる平面形状に形成されて、撓み変形自在に構成される。この場合、シート６０の各面６１、６２は横の長さが紙幣又は名刺の長手方向の寸法よりも小さく、縦の長さが紙幣又は名刺の短手方向の寸法よりも少し小さい略矩形状に形成される。なお、シート６０の各面６１、６２の形状は任意で、半円形、三角形その他の多角形でもかまわない。また、アーム６３はシート６０の各面６１、６２の左右両側縁部からシート６０の縦方向に延びる略Ｍ字形に形成されている。なお、アーム６３の形状は後述するアームの動きが得られれば、特に限定されるものではない。係止手段６４は紙幣又は名刺の平面に対して摩擦係合する手段で、アーム６３の内側面に形成される。この場合、係止手段６４に紙幣又は名刺の平面に対して摩擦係合可能な樹脂フィルムが採用され、略Ｍ字形のアーム６３の略中央の内側面に貼り付けられる。なお、係止手段６４は略Ｍ字形のアーム６３の略中央の内側面に直接、紙幣や名刺が滑り難い処理が施されてもよい。
【００１０】
このようにして滑り止め器具３が構成され、札入れ又は名刺入れの中に装填されて使用される。その使い方は次のとおりである。なお、ここでは滑り止め器具３を名刺入れに取り付けて使用する場合について例示するが、札入れの場合でも同様であることは勿論である。図１に示すように、この滑り止め器具３の場合、シート６０の二つ折りの２面６１、６２間に名刺９０を挟んで、名刺入れの内部に装填される。そして、ユーザーの指先で一方の係止手段６４を、（一方の）アーム６３をシート６０の上端縁に近接する方向に撓み変形させながら移動して、名刺９０に押し当てる動作と、この係止手段６４をアーム６３を元の状態に戻しながら（つまり、延ばしながら）シート６０の上端縁から離間する方向に移動させる動作を行えばよく、この指先のワンタッチ操作で、名刺入れから名刺を簡易に引き出すことができる。したがって、名刺入れの中に複数の名刺が重ねて収納され、名刺同士が密着されていても、名刺入れに装填された滑り止め器具３の簡易な操作で、名刺を１枚又は１枚ずつ必要な枚数だけ容易に取り出すことができる。
【図面の簡単な説明】
【００１１】
【図１】（ａ）本考案の一実施の形態における札入れ用及び名刺入れ用の滑り止め器具の正面図（ｂ）同滑り止め器具の端面図
【符号の説明】
【００１２】
３  札入れ用及び名刺入れ用滑り止め器具
６０  シート
６１、６２  面
６３  アーム
６４  係止手段
９０  名刺
【図１】
0003133050.tif 000003